(57)【特許請求の範囲】
【請求項１】
マイクに取り付けて用いるマイクカバーであって、
人体の口部から飛散する飛沫がマイクヘッド周辺から前方に拡散するのを防御するための防御壁を有し、
前記防御壁は、前記飛沫を受け止めるための複数のシートを相互に剥離可能に重ね合わせた飛沫受止体を有していることを特徴とするマイクカバー。
【請求項２】
前記防御壁が前記飛沫受止体を支持する支持体を有する請求項１記載のマイクカバー。
【請求項３】
前記防御壁が、前記マイクヘッドの上端部よりも上方まで立ち上がり形成された立ち上がり部を有する請求項１又は２記載のマイクカバー。
【請求項４】
前記防御壁の下部に前記マイクを挿入するための挿入孔が開口形成されており、
前記前記立ち上がり部が前記挿入孔から上方に向けて拡開形成されている請求項２又は３記載のマイクカバー。
【請求項５】
前記飛沫受止体を形成する各シート間に隙間を有するように形成されている請求項１から４のいずれかに記載のマイクカバー。
【請求項６】
前のシートから後のシートに向けて、上縁部の高さ位置が順次低くなるように形成されている請求項１から５のいずれかに記載のマイクカバー。
【請求項７】
前記シートには、該シートを引き抜くための摘み部が設けられている請求項１から６のいずれかに記載のマイクカバー。
【請求項８】
前記シートは、折り畳み可能に形成されている請求項１から７のいずれかに記載のマイクカバー。
【請求項９】
前記シートがフィルム状の素材で形成されている請求項１から８のいずれかに記載のマイクカバー。
【請求項１０】
前記シートが透光性を有する素材で形成されている請求項１から９のいずれかに記載のマイクカバー。
【発明の詳細な説明】
【技術分野】
【０００１】
本発明は、マイクカバーに関する。
【背景技術】
【０００２】
一般に、カラオケなどで歌唱するとき、インタビューや演説を行うときなどには、声を拾うための装置としてマイクが広く用いられている。マイクは、声をよく拾おうとするために、通常は人の口に近づけて使用するため、人の口から唾液や食べ物のカスといった飛散物が飛散することがあり、不衛生な状態になりがちであった。一方で、近年は清潔志向の高まりにより、マイクについても衛生的な状態で使用することが望まれている。例えば、下記に示す特許文献１には、マイクヘッドに装着させるマイクカバーが開示されている。このマイクカバーは、不衛生になりがちなマイクヘッドを衛生的に保持することができるようにしており、マイクヘッドを覆うように装着することができるように構成されている。
【０００３】
【特許文献１】特開平１０−２６２２９５号公報
【発明の概要】
【発明が解決しようとする課題】
【０００４】
上記した特許文献１に記載されたマイクカバーでは、飛散物がマイクカバーによって遮られてマイクに飛散物が直接付着することを防ぐことができるので、マイク自体を衛生的な状態に維持することはできた。しかしながら、マイクを使用している周囲には人の口から出る飛沫などが周辺に飛散することまでを防ぐことができないといった問題があった。
また、特に近年は、ウイルスや細菌に飛沫感染するリスクが問題となっており、このようなリスクを軽減することが非常に重要となっている。そのため、従来のようにマイクの衛生面のみを考慮するだけでなく、より広い範囲に飛沫が飛散することによる飛沫感染をいかに防ぐかが大きな課題となっている。
【０００５】
例えば、カラオケ店等の施設は、様々な人が利用するのに加え、複数の人が頻繁に出入りするため、外部からウイルスや細菌が持ち込まれやすい。また、このような施設は一定の広さに仕切られた複数の小部屋が設けられていることが多く、この小部屋の中で複数人が集まって歌唱したり会話をしたりすると、飛沫感染の可能性が高まり、さらには室内に飛散した細菌やウイルスが残留するおそれもあった。また、インタビューや演説などは、屋内で行う場合の他に屋外で行うこともあるものの、このようなインタビューや演説を行う場合には、話し手の周囲近くに複数人の聞き手がいることが多い。そのため、やはり話し手の口から飛散する飛沫が聞き手に対しても飛び散りやすく、飛沫感染を引き起こしやすいといった問題があった。
【０００６】
本発明は、上記した問題点に鑑みてなされたものであり、人体の口から飛散する飛沫による感染を大きく低減することができ、かつマイクにも容易に装着及び取り外しができ、さらには処分も簡単に行うことのできるマイクカバーを提供することを目的とする。
【課題を解決するための手段】
【０００７】
本発明は、
（１）マイクに取り付けて用いるマイクカバーであって、人体の口部から飛散する飛沫がマイクヘッド周辺から前方に拡散するのを防御するための防御壁を有し、前記防御壁は、前記飛沫を受け止めるための複数のシートを相互に剥離可能に重ね合わせた飛沫受止体を有していることを特徴とするマイクカバー、
（２）前記防御壁が前記飛沫受止体を支持する支持体を有する上記（１）記載のマイクカバー、
（３）前記防御壁が、前記マイクヘッドの上端部よりも上方まで立ち上がり形成された立ち上がり部を有する上記（１）又は（２）記載のマイクカバー、
（４）前記防御壁の下部に前記マイクを挿入するための挿入孔が開口形成されており、前記前記立ち上がり部が前記挿入孔から上方に向けて拡開形成されている上記（２）又は（３）記載のマイクカバー、
（５）前記飛沫受止体を形成する各シート間に隙間を有するように形成されている上記（１）から（４）のいずれかに記載のマイクカバー、
（６）前のシートから後のシートに向けて、上縁部の高さ位置が順次低くなるように形成されている上記（１）から（５）のいずれかに記載のマイクカバー、
（７）前記シートには、該シートを引き抜くための摘み部が設けられている上記（１）から（６）のいずれかに記載のマイクカバー、
（８）前記シートは、折り畳み可能に形成されている上記（１）から（７）のいずれかに記載のマイクカバー、
（９）前記シートがフィルム状の素材で形成されている上記（１）から（８）のいずれかに記載のマイクカバー、
（１０）前記シートが透光性を有する素材で形成されている上記（１）から（９）のいずれかに記載のマイクカバーを要旨とする。
【発明の効果】
【０００８】
本発明によれば、マイクに取り付けて用いるマイクカバーであって、人体の口部から飛散する飛沫がマイクヘッド周辺から前方に拡散するのを防御するための防御壁を有し、前記防御壁は、前記飛沫を受け止めるための複数のシートを相互に剥離可能に重ね合わせた飛沫受止体を有しており、飛沫受止体で人体の口から飛散する飛沫を受け止めることができる。飛沫受止体は、複数枚のシートを相互に剥離可能に重ね合わせて形成されているため、マイクを使用した後に飛沫受止体の表面側のシートを取り除くことにより、例えば次の使用者が安心してマイクを使用することができる。したがって、本発明によればウイルスや細菌の飛沫感染のリスクを大きく低減することが可能になる。また、本発明によれば、受け止めた飛沫に触れることなくマイクカバーを取り除くことができるので、処分が非常に簡単で、取り除く者の感染リスクを大きく低減することも可能になる。
【図面の簡単な説明】
【０００９】
【図１】本発明のマイクカバーに係る実施の形態の正面図である。
【図２】マイクに装着した状態のマイクカバーを表す説明図である。
【図３】摘み部を設けたマイクカバーを表す説明図である。
【図４】摘み部を設けたマイクカバーを表す説明図である。
【図５】折り畳んだ状態のフィルムの平面図である。
【図６】折り畳んだ状態の支持部の正面図である。
【図７】マイクカバーの作用効果を説明するための説明図である。
【図８】本発明のマイクカバーの別の態様の斜視図である。
【図９】マイクカバーの分解斜視図である。
【図１０】マイクカバーの更に別の態様の斜視図である。
【発明を実施するための形態】
【００１０】
本発明に係るマイクカバーの実施の形態について、図面を用いて詳細に説明する。図１に示すように、マイクカバー１は、マイクＭ１に取り付けて用いられる。このマイクカバー１は、マイクＭ１の把持部Ｍ２に取り付けられており、把持部Ｍ２の上方に位置するマイクヘッドＭ３の周囲を囲むように配置されている。
【００１１】
マイクカバー１は、防御壁２を備えており、この防御壁２は、人の口から飛散する飛沫を受け止めるための飛沫受止体３と、飛沫受止体３を支持するための支持体１１とを有している。防御壁２は人体の口部から飛散する飛沫がマイクヘッドＭ３から前方に拡散するのを防御するためのものである。飛沫受止体３は複数のシート４を有しており、これら複数のシート４が相互に剥離可能に重ね合わせて構成されるとともに、使用後にはマイクＭ１から容易に除去することができるように構成されている。本実施の形態のマイクカバー１は、複数のシート４を重ね合わせて形成した飛沫受止体３と支持体１１とを防御壁２として構成している。
【００１２】
防御壁２は、マイクヘッドＭ３の上端部よりも上方まで立ち上がり形成された立ち上がり部５を有している。なお、この防御壁２は、図１に示すように立ち上がり部５のみにより形成されていてもよい。なお、図１においては、立ち上がり部５はマイクヘッドＭ３の上端部よりも上方まで立ち上がり形成されている例を用いて説明したが、これに限定されるものではなく、例えば立ち上がり部５の立ち上がり高さがマイクヘッドＭ３の上端部と同じ高さでもよいし、また立ち上がり部５の立ち上がり高さがマイクヘッドＭ３の上端部より低くてもよく、立ち上がり部５を有することにより、マイク使用者が使用する際、口から飛散する飛沫を立ち上がり部５において受け止めることができればその立ち上がり高さは任意に決定することができる。
【００１３】
図２に示すように、シート４の下部には挿入孔６が開口形成され、支持体１１の下部には、挿入孔１６が開口形成されている。これら挿入孔６，１６はマイクＭ１にマイクカバー１を取り付ける際、把持部Ｍ２を挿入するための孔である。マイクカバー１は、挿入孔６の開口縁の長さと、把持部Ｍ２の円周長さとが同じとなる位置で、マイクＭ１に固定されるようになっており、その地点が把持部Ｍ２のマイクヘッドＭ３寄りの位置になるように形成している。上記した立ち上がり部５は、挿入孔６，１６から上方に向けて拡開形成されている。また、このように形成された立ち上がり部５は、マイクヘッドＭ３とは接触せず、該マイクヘッドＭ３との間に間隔が設けられるようになっている。このようにマイクヘッドＭ３と立ち上がり部５とを接触させず、間隔を設けることにより、マイク使用時における音の反響を防ぐことが可能になる。また、このように、立ち上がり部５が挿入孔６，１６から上方に向けて拡開形成されているので、マイクＭ１を立ち上がり部５の上方から挿入孔６，１６に挿入して取り付けることで、把持部Ｍ２を傷つけることなくマイクＭ１にマイクカバー１を取り付けることができる。
【００１４】
なお、マイクカバー１において、防御壁２の形状はマイクＭ１の使用時に人の口から飛散する飛沫を受け止めることができればよく、その大きさや形状は任意に決定してよい。例えば、マイクカバー１を折り畳み状態から開いた展開状態のときに防御壁２の形状がハート形状となるようにしてもよいし、防御壁２の上壁部をギザギザの形状や波型形状その他の任意な形状にしてもよい。また、防御壁２には印刷等によって種々の模様や図柄を描いてもよい。例えば、防御壁２に唇の図柄を描くことによって、使用者があたかもキスをしているかのような気持ちを持たせながら使用させることができたり、所定のキャラクターを任意に選択して印刷等によって描くことによって、より気持ちを高揚させつつ使用させたりすることも可能になる。なお、このような防御壁２の形状や模様等は従来から知られているものを任意に選択して適宜用いればよく、その範囲は上記したものに限定されない。
【００１５】
図５に示すように、シート４は、折り畳み可能に形成されており、接合ライン７，８に沿って接合されたり、該接合ライン７，８が形成されている箇所において折り畳み形成されて形成されている。したがって、図５に示す状態においては、シート４は接合ライン７，８において折り返されているため、図１等に示している状態の半分のみが示されている。挿入孔１６には、切り込み等による脆弱部１２が形成されている。脆弱部１２は、シート４を引き抜く際に加わる力によってシート４を挿入孔１６から破けやすくするためのものである。この脆弱部１２は、図５においては切り込み状に形成されている例を示したが、シート４を引き抜く際に引き抜きやすくすることができる構成であれば他の形状であっても良い。なお、シート４を引き抜く際は、接合ライン７，８が裂けるように構成しても良いし、また脆弱部１２から裂けはじめて接合ライン７，８とは別の箇所が裂けるように構成してもよい。また、接合ライン７，８と脆弱部１２の両方が裂けるように構成しても良い。
【００１６】
複数のシート４は、相互に剥離可能であれば、各シート４間は非固定状態でも固定されていてもよい。また、シート４と支持体１１も、非固定状態でも固定されていてもよい。シート４相互間を固定する場合、シート４と支持体１１とを固定する場合には、例えばヒートシールによる接着、超音波融着、高周波接合、低周波接合、ホットメルト接着剤等のような各種接着剤による接着など、従来から公知の方法を用いて部分接着する等の方法が挙げられる。シート４同士の接着及びシート４と支持体１１との接着は、使用者が引き上げたシート４のみが他のシート４等とはがれて取り除かれる程度の力で接着されたり、接着されている箇所以外のところから引き裂かれて取り除くことができる程度の力で接着されていることが好ましい。シート４同士の接合及びシート４と支持体１１との接合は、点接合、線接合、面接合のいずれであってもよく、また、これら以外の接合の態様であっても良い。また、シート４が引き上げれたときに他のシート４等と分離する態様としては、上記した接着等されている箇所から分離するようにしてもよいし、またシート４同士やシート４と支持体１１とが接着されている箇所とは異なる場所にミシン目等の脆弱部１２を形成しておき、引き抜く力が加わったときにその脆弱部１２から分離するようにしてもよい。また、これら以外の方法によりシート４が他のシート４等から分離するようにしてもよい。この場合、取り除かれるシート４は、一枚ずつ取り除くことができるようにすることが好ましい。また、シート４の厚さは、１μｍ〜１００μｍの範囲内であることが好ましく、また５μｍ〜９０μｍの範囲内であることがより好ましい。さらに好ましくは、５μｍ〜８０μｍであることがさらに好ましい。なお、各シート４の厚さはそれぞれ異ならせてもよいし、同じ厚さにしてもよい。
【００１７】
飛沫受止体３は、各シート４の間に隙間を有するように形成することが好ましい。隙間が形成されることによって、シート４を他のシート４から剥離する際に摘みやすくすることができ、かつ使用したシート４を引っ張り上げる際に飛沫が付着した面に指を触れさせることなく剥離することができるので、非常に衛生的である。
【００１８】
また、飛沫受止体３には、各シート４を引き抜くための摘み部１３を設けておくことが好ましい。摘み部１３は、例えば図３に示すようなシール１４を設けたり、図４に示すような摘み片１５を形成すればよい。ここで、摘み部１３としてシール１４を設ける場合には、シート４の裏面側、各シート４間に位置するように設けることが好ましい。このようにシール１４を設けることによって各シート４間に隙間を容易に形成することができ、シート４を引き抜く時に、シール１４を摘みやすくすることができる。また、シール１４をシート４の裏面側に設けることによって、飛沫がシール１４に付着するのを防ぐことができ、衛生的な状態を保った状態を維持することができ、使用者がシール１４を摘むときにも指を飛沫等によって汚すことを防止することができる。また、このシール１４は、それぞれのシート４に設けることが好ましく、その際には、シール１４に、このシールを摘んでシート４を引き出す旨のサインとして「ＰＩＣＫＵＰシール」という文言を表示したり、シートの番号などを印刷等によって表示しておくことによって、使用者の目に留まりやすくすることができ、まだ使用していないシート４までをも引き出してしまうおそれを軽減することができる。このシール１４は、複数枚のシート４の同じ位置に設けることが好ましい。シート４の同じ位置にシール１４を設けることによって、よりシート４間の隙間を形成しやすくすることによりシート４同士やシート４と支持体１１とが貼り付き合うのを防止することができ、シート４を摘みやすくすることができる。
【００１９】
また、図４に示すような摘み片１５を形成する場合には、使用者が摘みやすくするために各シート４で摘み片１５を形成する位置を変更してもよい。このように異なる位置に摘み片１５を形成することによって、使用者にどの摘み片１５を摘んで引き出せばよいのかを視覚的に知らせることができる。また、この摘み片１５にも印刷等によってこの摘み片１５を摘んでシート４を引き出す旨や、シートの番号などを表示しておくことによって、より使用者の目に留まりやすくすることができるようにしてもよい。また、摘み片１５を所定の色に着色印刷して確実に視認させることができるようにしてもよい。
【００２０】
この摘み部１３は、上記した態様に限定されず、これら以外の態様で形成しても良い。また、各シート４間で隙間を形成しやすくするという点では、上記した摘み片１５を形成した後にその摘み片１５を裏側に折り返すことによって摘み片１５を各シート４間に位置させるようにして、隙間を形成しやすくするようにしてもよい。この場合は、より隙間を形成しやすくするために、摘み片１５を形成する位置は、各シート４で同じ位置にすることが好ましい。また、摘み片１５を各シート４で同じ位置に形成した場合、これら各シート４の摘み片１５をまとめて裏面側に折り曲げ形成しておくことにより、飛沫の付着を防止することができるのみならず、シート４を取り除く際に摘み片１５を摘みやすくし、シート４を取り除きやすくすることが可能になる。
【００２１】
また、このように複数のシートが重ね合わされた状態でマイクＭ１に取り付けられている場合には、前のシート４から後側のシート４に向けて、該シート４の上縁部の高さ位置が順次低くなるように形成されていることが好ましい。つまり、最も前側に位置するシート４の上端縁の高さ位置が最も高く、そして最も後側に位置するシート４の上端縁の高さ位置が最も低くなるように形成され、これら最も前側のシート４と最も後側に位置するシート４との間に位置するシート４については、前側から後側へ行くにつれて、上端縁の高さ位置が順次低くなるように形成されている。このようにシート４を配置することによって、使用時には最も前側のシート４にのみ飛沫が付着させることができ、その後側に配置されているシート４は清潔な状態を維持することができる。
【００２２】
図６に示すように、支持体１１は、折り畳み可能に形成されており、接合ライン７，８に沿って接合されている。したがって、図６に示す状態においては、防御壁２は接合ライン７，８において折り返されているため、図６等に示している状態の半分のみが示されている。挿入孔１６は、マイクカバー１の折り畳み時においては、これら接合ライン７，８が交わる点を含む箇所に開口形成している。図６において、挿入孔１６は角丸の略四角形状に形成されており、接合ライン７と近接する箇所には補強部９が形成され、接合ライン８と近接する箇所には補強部１０が形成されている。これら補強部９，１０は、図１等に示すように折り畳み状態から広げた展開状態となってマイクＭ１を挿入孔６へ挿入したときに、接合ライン７，８において切断されないようにするためのものである。この補強部９，１０は、マイクＭ１に取り付けたときに、図１等に示す前側に補強部９が位置し、後側に補強部１０が位置するように配置される。また、支持体１１の厚さは、１μｍ〜１００μｍの範囲内であることが好ましく、また５μｍ〜９０μｍの範囲内であることがより好ましい。さらに好ましくは、５μｍ〜８０μｍであることがさらに好ましい。なお、支持体１１の厚さは、シート４の厚さと同じにしても良いし、異ならせてもよい。
【００２３】
シート４及び支持体１１としては、紙系素材、不織布又は樹脂系素材等を用いることができる。また、シート４及び支持体１１には、シート状の部材に限らず、フィルム状、薄板状の部材を用いることができる。なお、シート４及び支持体１１には、それぞれ同じ素材を用いてもよいし、異なる素材を組み合わせて用いてもよい。
【００２４】
シート４及び支持体１１に紙系素材を用いる場合においては、パルプ系繊維原料のスラリーを網状に抄き取り、乾燥又は押圧乾燥、抄紙してシート状にして得られる、いわゆる湿式抄造紙を用いることができる。
【００２５】
パルプ系繊維原料としてのパルプは、赤松、トド松、エゾ松、ダグラスファー、ヘムロック、スプルース等の針葉樹パルプ、ブナ、ナラ、カバ、ユーカリ、ポプラ、アルダー等の広葉樹パルプ、針葉樹パルプと広葉樹パルプの混合物等の木材パルプ、ケナフ、バガスパルプ、タケパルプ、シリアルパルプ、ワラパルプ、アバカパルプ、木綿パルプ等の非木材パルプ、古紙パルプ等を用いることができる。また、粉砕パルプとしては、パルプ系繊維からなる原料シートを粉砕機で粉砕して得られるものが挙げられる。
【００２６】
紙系素材を用いる場合、表面にコート剤を塗布してもよい。このときに塗布するコート剤としては、例えばエマルジョン塗料やインキを用いることができる。エマルジョン塗料やインキとしては、フッ素樹脂；アクリル酸系重合体、メタクリル酸系重合体、アクリル酸−マレイン酸樹脂、アクリル酸−スチレン−ウレタン樹脂等のアクリル酸系共重合体等のアクリル系樹脂；酢酸ビニル樹脂、エチレン−酢酸ビニル共重合体等の酢酸ビニル系樹脂を水に溶解又は分散させたもの等を用いることができる。また、塗布するコート剤は疎水性を有するものが好ましく、通常アクリル系重合体の塗料やインキが用いられる。
【００２７】
コート剤は、ロールコート、リバースロールコート、グラビアコート、スピンコート、スプレーコート、スクリーンコート等の各種塗工方法により塗布することができる。コート剤は、マイクカバー１を構成する紙系素材の表面に部分的に形成しても全面的に形成しても良い。
【００２８】
また、コート剤には、抗菌性物質を添加したコート剤を塗布する等により抗菌性を付与することができる。抗菌性物質としては、天然抗菌性物質が好ましい。例えば、エゴノキ抽出物、カワラヨモギ抽出物、ヒノキチオール、ε−ポリリジン、レンギョウ抽出物、イチジク葉抽出物、オレガノ抽出物、柑橘種子抽出物、桑抽出物、シソ抽出物、シナモン抽出物、ショウガ抽出物、タデ抽出物、緑茶抽出物、ブドウ果皮抽出物、紅麹抽出物、グレープフルーツ抽出物、ホッコシ抽出物、モウソウチク抽出物、モミガラ抽出物、リゾチーム、エタノール、ニンニク抽出物、ハッカ油、ホタテ貝粉末や牡蛎粉末等の貝殻粉末、焼成貝殻粉末、キチン、キトサン等や、金、銀、銅等の抗菌性を有する金属やこれらの金属化合物の粉末等が挙げられる。抗菌性物質は、コート剤に含有させる場合に限らず、抗菌性物質を含有する薬剤を紙系素材に塗布して抗菌性を有する層を形成したり、防御壁２の製造過程等において、紙系素材中に含浸させるようにしてもよい。
【００２９】
シート４及び支持体１１に不織布を用いる場合においては、用いる不織布としてはＪＩＳ  Ｌ０２２２に不織布として定義されている、「繊維が一方向又はランダムに配向されており、交絡、及び／又は融着、及び／又は接着によって繊維間が結合されたもの。ただし、紙、織物、編物、タフト及び縮絨フェルトを除く。」もので、例えば、スパンボンド不織布、ケミカルボンド不織布、エアレイド不織布、ニードルパンチ不織布、スパンレース不織布、サーマルボンド不織布、レジンボンド不織布、ナノファイバー不織布、メルトブローン不織布等が挙げられる。
【００３０】
シート４及び支持体１１に樹脂材料を用いる場合においては、用いられる樹脂材料及びフィルムとしては、例えばポリスチレン、ポリエチレンやポリプロピレン等のオレフィン系樹脂、ポリエチレンテレフタレート、ポリウレタン、ポリ塩化ビニルシアノアクリレート、エポキシ樹脂、ポリアクリル酸やポリメタクリル酸等のアクリル系樹脂、ナイロン、ポリカーボネート；ポリカプロラクトン、ポリヒドロキシアルカノエート、ポリヒドロキシブチレート、ポリ乳酸、エステル化デンプン等のデンプン系樹脂、酢酸セルロース、ポリエチレンサクシネート、ポリビニルアルコール、ポリグリコール酸、キトサン／セルロース／デンプン、ポリ（ヒドロキシブチレート／ヒドロキシヘキサノエート）、ポリ（ブチレンサクシネート／アジペート）、ポリ（ブチレンサクシネート／カーボネート）、ポリ（エチレンテレフタレート／サクシネート）、ポリ（ブチレンアジペート／テレフタレート）、ポリ（テトラメチレンアジペート／テレフタレート）等の天然分解性樹脂混合物；天然分解性バイオマス樹脂や天然分解性バイオマス樹脂の混合物；フッ素樹脂、シリコーン樹脂、紫外線硬化樹脂や、エチレン−酢酸ビニル共重合体、エチレン−ビニルアルコール共重合体、エチレン−プロピレン共重合体、エチレン−プロピレン−ブタジエン共重合体、アクリル−スチレン共重合体、スチレン−ブタジエン共重合体、アクリロニトリル・ブタジエン・スチレン共重合体等、上記樹脂を構成するモノマーの共重合体、天然樹脂、パラフィン、ゼラチン、セロファン、ポリメチルペンテン等からなるフィルムを用いることができる。これらの中でも、天然分解性樹脂、天然分解性バイオマス樹脂、天然樹脂等の天然分解性樹脂フィルムが好ましく、疎水性の高い物がより好ましい。また、フィルム素材を用いる場合には、透光性のよいものが好ましく、透明性の高い一軸延伸フィルム、二軸延伸フィルムが好ましく、特に二軸延伸プロピレン（ＯＰＰ）フィルムが好ましい。半透明のフィルム素材の場合、乳白色のようなものであってもよいし、色つきのものであってもよい。透光性のよいフィルムを用いると、シート４を通して前方を見ることが容易となり、またシート４にシール１４等が貼着されている際にはシール１４を視認しやすくなる。
【００３１】
また、塗工剤としては、上記した合成樹脂、天然分解性樹脂、天然分解性バイオマス樹脂、天然樹脂、さらには松ヤニ、漆、コハク、ゼラチン、カゼイン、鼈甲、キチン、キトサン、牡蠣、ガム等天然高分子類の溶液や分散液からなる塗料、例えば、水系インクをはじめとする各種のインク等が挙げられる。
【００３２】
マイクカバー１の素材として天然分解性を有する素材を用いて形成することにより、近年重要視されている環境負荷への対応もすることができるとともに、リサイクル性も向上させることが可能になる。
【００３３】
次に、本発明に係るマイクカバー１の作用効果について説明する。図７において示すのは、マイクカバー１を取り付けたマイクＭ１を用いて歌唱する人の例である。このように、人が歌唱するときはマイクＭ１を口に近づけて行う。このとき、人の口からは唾液や食べ物のカスなどが飛沫となって飛散する。しかし、マイクカバー１をマイクＭ１に取り付けた場合には、飛沫がマイクカバー１の防御壁２によって受け止められるため、マイクカバー１よりも遠方の周囲に飛散する量を大きく低減することが可能になる。そのため、例えば小部屋のような空間内において飛散する飛沫の量を大きく低減させることができるとともに、その飛沫によってウイルスや細菌に感染するリスクを大きく低減させることも可能になる。また、マイクカバー１は、使用後にマイクＭ１を挿入孔６から引き抜き折り畳むことができるので、飛沫を受け止めた面に触れることなく処分することもできる。そのため、使用者の衛生面にも配慮した構成とすることができ、より感染リスクを低くすることが可能になる。
【００３４】
また、このマイクカバー１においては、マイクカバー１をマイクＭ１に取り付けて使用しているときは、飛沫受止体３における前側のシート４が飛沫を受け止める。その後、その前側のシート４を摘んで（摘み部１３が形成されているときは摘み部１３を摘んで）そのシートを引き抜く。このとき、各シート４間には隙間が形成されているので、使用者は引き抜くシート４を摘みやすいため、まだ未使用のシート４を余分に摘んだり、シート４を摘むときの煩わしさを軽減することができる。そして、シート４を引き抜く際は、シート４に形成された挿入孔６が支持体１１の挿入孔６よりも大きく形成されるとともに脆弱部１２が形成されているので、簡単にシート４を引き抜いて取り除くことができる。そして、引き抜いた後はまだ未使用のシート４が前側に位置するので、飛沫等が付着していない清潔な状態で再び使用することができる。また、引き抜いたシート４は、そのまま折り畳んで廃棄することができるため、飛沫等がついた面に触れる必要がなく、手を汚さずに処分することができる。さらに、このマイクカバー１は、シート４は引き抜きやすく、支持体１１を容易に引き抜くことができないようにしているので、マイクＭ１に取り付けたときにも、不用意にシート４や支持体１１を摘んで引っ張った場合でも、シート４が引き抜かれることを防止することができる。なお、この場合、最後のシート４を使用したときは、シート４を引き抜いて取り除いてもよいし、またシート４及び支持体１１をまとめてマイクＭ１から取り外し、マイクカバー１ごと取り除いてもよい。
【００３５】
このように、本発明のマイクカバー１によれば、飛沫が飛散するのを大きく低減することができるのみならず、飛沫受止体３の交換や廃棄なども簡単に行うことができるので、非常に衛生的であるのみならず、使用する際に抵抗感や煩わしさを感じさせずに使用させることが可能になる。
【００３６】
図８及び図９に示すのは、本発明に係るマイクカバー１の別の実施の態様である。この態様のマイクカバー１は、複数（例えば５枚）のフィルム４と支持体１１とが積層されている。また、このマイクカバー１には、折り畳み部１７が形成されており、フィルム４が内側に位置し、支持体１１が外側へ位置する態様で折り畳めるように構成されている。マイクカバー１は、図８（ｂ）に示している折り畳んだ状態から展開すると、図８（ａ）に示すように略Ｌ字形となるように形成されている。また、図９に示すように、フィルム４には、折り畳み部１７と交わる位置にマイクＭ１を挿入するための挿入孔１８が開口形成されており、支持体１１には、折り畳み部１７と交わる位置にマイクＭ１を挿入するための挿入孔１９が開口形成されている。また、フィルム４には、脆弱部１２としての切り込み線、例えばミシン目線等が形成されており、フィルム４を引き抜いた時に脆弱部１２から裂けて取り除くことができるように構成されている。挿入孔１８は、挿入孔１９よりも周縁の長さが長くなるように形成されており、開口する面積も挿入孔１９の開口面積よりも大きくなるように形成されている。このように挿入孔１８を開口形成することにより、マイクＭ１の把持部Ｍ２を挿入しやすくすることができるとともに、マイクＭ１からマイクカバー１を取り除きやすくすることもできる。
【００３７】
なお、この態様のマイクカバー１は、図１０に示すように両端部分を所定の方法で固定してもよい。このように構成しても、上記した本発明に係るマイクカバー１の効果を奏することが可能となる。
【００３８】
以上、本発明に係るマイクカバーについて詳細に説明したが、上記したのは本発明に係るマイクカバーの例を示したに過ぎず、これに限定されるものではない。したがって、本
発明の趣旨を逸脱しない範囲において、適宜変更してよい。
【符号の説明】
【００３９】
１  マイクカバー
２  防御壁
３  飛沫受止体
４  シート
５  立ち上がり部
６，１６  挿入孔
７，８  接合ライン
９，１０  補強部
１１  支持体
１２  脆弱部
１３  摘み部
１４  シール
１５  摘み片
１７  折り畳み部
Ｍ１  マイク
Ｍ２  把持部
Ｍ３  マイクヘッド
【要約】
【課題】人体の口から飛散する飛沫による感染を大きく低減することができ、かつマイクにも容易に装着及び取り外しができ、さらには処分も簡単に行うことのできるマイクカバーを提供する。
【解決手段】マイクに取り付けて用いるマイクカバー１であって、人体の口部から飛散する飛沫がマイクヘッドＭ３の周辺から前方に拡散するのを防御するための防御壁２を有し、この防御壁２は、飛沫を受け止めるための複数のシート４を相互に剥離可能に重ね合わせた飛沫受止体３を有している。
【選択図】  図１【図１】
0006738507.tif 000002
【図２】
0006738507.tif 000003
【図３】
0006738507.tif 000004
【図４】
0006738507.tif 000005
【図５】
0006738507.tif 000006
【図６】
0006738507.tif 000007
【図７】
0006738507.tif 000008
【図８】
0006738507.tif 000009
【図９】
0006738507.tif 000010
【図１０】
0006738507.tif 000011